【事件の表示】
　特許第４５２０５３３号に関する訂正審判事件について，次のとおり審決する。
【結　論】
　特許第４５２０５３３号に係る明細書及び特許請求の範囲を本件審判請求書に添付された訂正明細書及び訂正特許請求の範囲のとおり訂正することを認める。
【理　由】
第１　手続の経緯
　本件訂正審判の請求に係る特許第４５２０５３３号（以下「本件特許」という。）は，２００９年１月１６日を国際出願日とする出願（特願２００９−５５００５０号）の請求項１〜１４に係る発明について平成２２年５月２８日に特許権の設定登録がなされたものである。
　そして，平成２４年４月２日に本件訂正審判の請求がなされた。
　
第２　請求の趣旨及び理由
　本件訂正審判請求の趣旨は，「特許第４５２０５３３号の明細書および特許請求の範囲を、請求書に添付した訂正明細書および特許請求の範囲のとおりに訂正することを認める、との審決を求める。」というものであり，すなわち，本件特許に係る願書に添付した明細書（以下，「本件特許明細書」という。）及び特許請求の範囲を下記訂正事項のとおりに訂正することを求めるというものである。
　
ａ．訂正事項ａ
　本件特許の特許請求の範囲の請求項１０における
「１０）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−シアノピリジン−２−カルボキサミド」
「１１）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメトキシピラジン−２−カルボキサミド」
「１２）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−クロロピリジン−２−カルボキサミド」
「１３）Ｎ−［３−（（７Ｓ＊，７ａＳ＊）−２−アミノ−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」
「２１）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２４）Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−シアノピリジン−２−カルボキサミド」
「２５）Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２７）Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」
「２８）Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２９）Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」および
「３０）Ｎ−［３−（（４ａＳ＊，５Ｓ＊，７ａＳ＊）−２−アミノ−５−フルオロメチル−４ａ，５−ジヒドロ−４Ｈ−フロ［３，４−ｄ］［１，３］チアジン−７ａ−イル）−４−フルオロフェニル］−５−シアノピリジン−２−カルボキサミド」なる記載を，それぞれ，
「１０）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」
「１１）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメトキシピラジン−２−カルボキサミド」
「１２）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−クロロピリジン−２−カルボキサミド」
「１３）Ｎ−［３−（（７Ｓ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」
「２１）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２４）Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」
「２５）Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２７）Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド］
「２８）Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２９）Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」および
「３０）Ｎ−［３−（（４ａＳ＊，５Ｓ＊，７ａＳ＊）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」に訂正する。
　
ｂ．訂正事項ｂ．
　本件特許明細書の段落【０００４】における
「１０）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−シアノピリジン−２−カルボキサミド」
「１１）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメトキシピラジン−２−カルボキサミド」
「１２）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−クロロピリジン−２−カルボキサミド」
「１３）Ｎ−［３−（（７Ｓ＊，７ａＳ＊）−２−アミノ−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」
「２１）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２４）Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−シアノピリジン−２−カルボキサミド」
「２５）Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２７）Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」
「２８）Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２９）Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」および
「３０）Ｎ−［３−（（４ａＳ＊，５Ｓ＊，７ａＳ＊）−２−アミノ−５−フルオロメチル−４ａ，５−ジヒドロ−４Ｈ−フロ［３，４−ｄ］［１，３］チアジン−７ａ−イル）−４−フルオロフェニル］−５−シアノピリジン−２−カルボキサミド」なる記載を，それぞれ，
「１０）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」
「１１）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメトキシピラジン−２−カルボキサミド」
「１２）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−クロロピリジン−２−カルボキサミド」
「１３）Ｎ−［３−（（７Ｓ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」
「２１）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２４）Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」
「２５）Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２７）Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」
「２８）Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２９）Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」および
「３０）Ｎ−［３−（（４ａＳ＊，５Ｓ＊，７ａＳ＊）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」に訂正する。
　
ｃ．訂正事項ｃ
　本件特許明細書の段落【００４１】における
「１０）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−シアノピリジン−２−カルボキサミド」
「１１）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメトキシピラジン−２−カルボキサミド」
「１２）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−クロロピリジン−２−カルボキサミド」
「１３）Ｎ−［３−（（７Ｓ＊，７ａＳ＊）−２−アミノ−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」
「２１）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２４）Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−シアノピリジン−２−カルボキサミド」
「２５）Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２７）Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」
「２８）Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」
「２９）Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミド」および
「３０）Ｎ−［３−（（４ａＳ＊，５Ｓ＊，７ａＳ＊）−２−アミノ−５−フルオロメチル−４ａ，５−ジヒドロ−４Ｈ−フロ［３，４−ｄ］［１，３］チアジン−７ａ−イル）−４−フルオロフェニル］−５−シアノピリジン−２−カルボキサミド」なる記載を，それぞれ，
「１０）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」
「１１）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメトキシピラジン−２−カルボキサミド」
「１２）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−クロロピリジン−２−カルボキサミド」
「１３）Ｎ−［３−（（７Ｓ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」
「２１）Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２４）Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」
「２５）Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２７）Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」
「２８）Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミド」
「２９）Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」および
「３０）Ｎ−［３−（（４ａＳ＊，５Ｓ＊，７ａＳ＊）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」に訂正する。
　
ｄ．訂正事項ｄ
　本件特許明細書の段落【０５４６】における
「実施例２４
　Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−シアノピリジン−２−カルボキサミドの合成」なる記載を，
「実施例２４
　Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミドの合成」に訂正する。
　
ｅ．訂正事項ｅ
　本件特許明細書の段落【０５４７】における
「実施例２５
　Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメトキシピラジン−２−カルボキサミドの合成」なる記載を，
「実施例２５
　Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメトキシピラジン−２−カルボキサミドの合成」に訂正する。
　
ｆ．訂正事項ｆ
　本件特許明細書の段落【０５４８】における
「実施例２６
　Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−クロロピリジン−２−カルボキサミドの合成」なる記載を，
「実施例２６
　Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−クロロピリジン−２−カルボキサミドの合成」に訂正する。
　
ｇ．訂正事項ｇ
　本件特許明細書の段落【０５４９】における
「実施例２７
　Ｎ−［３−（（７Ｓ＊，７ａＳ＊）−２−アミノ−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミドの合成」なる記載を，
「実施例２７
　Ｎ−［３−（（７Ｓ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミドの合成」に訂正する。
　
ｈ．訂正事項ｈ
　本件特許明細書の段落【０５５９】における
「実施例３５
　Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミドの合成」なる記載を，
「実施例３５
　Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミドの合成」に訂正する。
　
ｉ．訂正事項ｉ
　本件特許明細書の段落【０５７０】における
「実施例４９
　Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−シアノピリジン−２−カルボキサミドの合成」なる記載を，
「実施例４９
　Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミドの合成」に訂正する。
　
ｊ．訂正事項ｊ
　本件特許明細書の段落【０５７１】における
「実施例５０
　Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−ジフルオロメトキシピラジン−２−カルボキサミドの合成」なる記載を，
「実施例５０
　Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−ジフルオロメトキシピラジン−２−カルボキサミドの合成」に訂正する。
　
ｋ．訂正事項ｋ
　本件特許明細書の段落【０５７２】における
「実施例５１
　Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−クロロピリジン−２−カルボキサミドの合成」なる記載を，
「実施例５１
　Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−クロロピリジン−２−カルボキサミドの合成」に訂正する。
　
ｌ．訂正事項ｌ
　本件特許明細書の段落【０５７３】における
「実施例５２
　Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミドの合成」なる記載を，
「実施例５２
　Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミドの合成」に訂正する。
　
ｍ．訂正事項ｍ
　本件特許明細書の段落【０５７４】における
「実施例５３
　Ｎ−［３−（（４ａＳ＊，５Ｒ＊，７ａＳ＊）−２−アミノ−５−エチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミドの合成」なる記載を，
「実施例５３
　Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミドの合成」に訂正する。
　
ｎ．訂正事項ｎ
　本件特許明細書の段落【０５７５】における
「実施例５４
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−シアノピリジン−２−カルボキサミドの合成」なる記載を，
「実施例５４
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミドの合成」に訂正する。
　
ｏ．訂正事項ｏ
　本件特許明細書の段落【０５７６】における
「実施例５５
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−ジフルオロメトキシピラジン−２−カルボキサミドの合成」なる記載を，
「実施例５５
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−ジフルオロメトキシピラジン−２−カルボキサミドの合成」に訂正する。
　
ｐ．訂正事項ｐ
　本件特許明細書の段落【０５７７】における
「実施例５６
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−クロロピリジン−２−カルボキサミドの合成」なる記載を，
「実施例５６
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−クロロピリジン−２−カルボキサミドの合成」に訂正する。
　
ｑ．訂正事項ｑ
　本件特許明細書の段落【０５７８】における
「実施例５７
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミドの合成」なる記載を，
「実施例５７
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミドの合成」に訂正する。
　
ｒ．訂正事項ｒ
　本件特許明細書の段落【０５７９】における
「実施例５８
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミドの合成」なる記載を，
「実施例５８
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミドの合成」に訂正する。
　
ｓ．訂正事項ｓ
　本件特許明細書の段落【０５８０】における
「実施例５９
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−ジフルオロメトキシピリジン−２−カルボキサミドの合成」なる記載を，
「実施例５９
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−ジフルオロメトキシピリジン−２−カルボキサミドの合成」に訂正する。
　
ｔ．訂正事項ｔ
　本件特許明細書の段落【０５８１】における
「実施例６０
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］ピリミジン−４−カルボキサミドの合成」なる記載を，
「実施例６０
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］ピリミジン−４−カルボキサミドの合成」に訂正する。
　
ｕ．訂正事項ｕ
　本件特許明細書の段落【０５８２】における
「実施例６１
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］ピリジン−２−カルボキサミドの合成」なる記載を，
「実施例６１
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］ピリジン−２−カルボキサミドの合成」に訂正する。
　
ｖ．訂正事項ｖ
　本件特許明細書の段落【０５８３】における
「実施例６２
　Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−フルオロピリジン−２−カルボキサミドの合成」なる記載を，
「実施例６２
　Ｎ−［３−（（４ａＳ＊，５Ｒ＊，７ａＳ＊）−２−アミノ−５−メチル−４ａ，５，７，７ａ−テトラヒドロ−４Ｈ−フロ［３，４−ｄ］［１，３］チアジン−７ａ−イル）−４−フルオロフェニル］−５−フルオロピリジン−２−カルボキサミドの合成」に訂正する。
　
ｗ．訂正事項ｗ
　本件特許明細書の段落【０５８７】における
「実施例６６
　Ｎ−［３−（（４ａＳ，５Ｓ，７ａＳ）−２−アミノ−５−メトキシメチル−４ａ，５−ジヒドロ−４Ｈ−フロ［３，４−ｄ］［１，３］チアジン−７ａ−イル）−４−フルオロフェニル］−５−シアノピリジン−２−カルボキサミドの合成」なる記載を，
「実施例６６
　Ｎ−［３−（（４ａＳ，５Ｓ，７ａＳ）−２−アミノ−５−メトキシメチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミドの合成」に訂正する。
　
ｘ．訂正事項ｘ
　本件特許明細書の段落【０５８８】における
「実施例６７
　Ｎ−［３−（（４ａＳ，５Ｓ，７ａＳ）−２−アミノ−５−メトキシメチル−４ａ，５−ジヒドロ−４Ｈ−フロ［３，４−ｄ］［１，３］チアジン−７ａ−イル）−４−フルオロ−フェニル］−５−ジフルオロメトキシピラジン−２−カルボキサミドの合成」なる記載を，
「実施例６７
　Ｎ−［３−（（４ａＳ，５Ｓ，７ａＳ）−２−アミノ−５−メトキシメチル−４ａ，５，７，７ａ−テトラヒドロ−４Ｈ−フロ［３，４−ｄ］［１，３］チアジン−７ａ−イル）−４−フルオロ−フェニル］−５−ジフルオロメトキシピラジン−２−カルボキサミドの合成」に訂正する。
　
ｙ．訂正事項ｙ
　本件特許明細書の段落【０５８９】における
「実施例６８
　Ｎ−［３−（（４ａＳ，５Ｓ，７ａＳ）−２−アミノ−５−メトキシメチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミドの合成」なる記載を，
「実施例６８
　Ｎ−［３−（（４ａＳ，５Ｓ，７ａＳ）−２−アミノ−５−メトキシメチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミドの合成」に訂正する。
　
ｚ．訂正事項ｚ
　本件特許明細書の段落【０５９０】における
「実施例６９
　Ｎ−［３−（（４ａＳ，５Ｓ，７ａＳ）−２−アミノ−５−メトキシメチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミドの合成」なる記載を，
「実施例６９
　Ｎ−［３−（（４ａＳ，５Ｓ，７ａＳ）−２−アミノ−５−メトキシメチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミドの合成」に訂正する。
　
ａ’．訂正事項ａ’
　本件特許明細書の段落【０５９１】における
「実施例７０
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−トリフルオロメチルピリジン−２−カルボキサミドの合成」なる記載を，
「実施例７０
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−トリフルオロメチルピリジン−２−カルボキサミドの合成」に訂正する。
　
ｂ’．訂正事項ｂ’
　本件特許明細書の段落【０５９２】における
「実施例７１
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−クロロピリジン−２−カルボキサミドの合成」なる記載を，
「実施例７１
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−クロロピリジン−２−カルボキサミドの合成」に訂正する。
　
ｃ’．訂正事項ｃ’
　本件特許明細書の段落【０５９３】における
「実施例７２
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−ジフルオロメトキシピリジン−２−カルボキサミドの合成」なる記載を，
「実施例７２
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−ジフルオロメトキシピリジン−２−カルボキサミドの合成」に訂正する。
　
ｄ’．訂正事項ｄ’
　本件特許明細書の段落【０５９４】における
「実施例７３
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミドの合成」なる記載を，
「実施例７３
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−ジフルオロメチルピラジン−２−カルボキサミドの合成」に訂正する。
　
ｅ’．訂正事項ｅ’
　本件特許明細書の段落【０５９５】における
「実施例７４
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−ジフルオロメトキシピラジン−２−カルボキサミドの合成」なる記載を，
「実施例７４
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−ジフルオロメトキシピラジン−２−カルボキサミドの合成」に訂正する。
　
ｆ’．訂正事項ｆ’
　本件特許明細書の段落【０５９６】における
「実施例７５
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−フルオロメトキシピラジン−２−カルボキサミドの合成」なる記載を，
「実施例７５
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミドの合成」に訂正する。
　
ｇ’．訂正事項ｇ’
　本件特許明細書の段落【０５９７】における
「実施例７６
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］ピリミジン−４−カルボキサミドの合成」なる記載を，
「実施例７６
　Ｎ−［３−（（４ａＳ，５Ｓ，７ａＳ）−２−アミノ−５−フルオロメチル−４ａ，５，７，７ａ−テトラヒドロ−４Ｈ−フロ「３，４−ｄ］［１，３］チアジン−７ａ−イル）−４−フルオロフェニル］ピリミジン−４−カルボキサミドの合成」に訂正する。
　
ｈ’．訂正事項ｈ’
　本件特許明細書の段落【０５９８】における
「実施例７７
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］ピリジン−２−カルボキサミドの合成」なる記載を，
「実施例７７
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］ピリジン−２−カルボキサミドの合成」に訂正する。
　
ｉ’．訂正事項ｉ’
　本件特許明細書の段落【０５９９】における
「実施例７８
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−フルオロピリジン−２−カルボキサミドの合成」なる記載を，
「実施例７８
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−フルオロピリジン−２−カルボキサミドの合成」に訂正する。
　
ｊ’．訂正事項ｊ’
　本件特許明細書の段落【０６５７】における
「実施例１６４
　Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−シアノピリジン−２−カルボキサミドの合成」なる記載を，
「実施例１６４
　Ｎ−［３−（（４ａＳ，５Ｓ，７ａＳ）−２−アミノ−５−フルオロメチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミドの合成」に訂正する。
　
ｋ’．訂正事項ｋ’
　本件特許明細書の段落【０６５８】における
「実施例１６５
　Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−トリフルオロメチルピリジン−２−カルボキサミドの合成」なる記載を，
「実施例１６５
　Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−トリフルオロメチルピリジン−２−カルボキサミドの合成」に訂正する。
　
ｌ’．訂正事項ｌ’
　本件特許明細書の段落【０６５９】における
「実施例１６６
　Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−プロモピリジン−２−カルボキサミドの合成」なる記載を，
「実施例１６６
　Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−プロモピリジン−２−カルボキサミドの合成」に訂正する。
　
ｍ’．訂正事項ｍ’
　本件特許明細書の段落【０６６０】における
「実施例１６７
　Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−ジフルオロメトキシピリジン−２−カルボキサミドの合成」なる記載を，
「実施例１６７
　Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−ジフルオロメトキシピリジン−２−カルボキサミドの合成」に訂正する。
　
ｎ’．訂正事項ｎ’
　本件特許明細書の【表１３−５】中の実施例１８８，１８９および１９０の化合物名における「４ａ，５−ジヒドロ」なる記載を，「４ａ，５，７，７ａ−テトラヒドロ」に訂正する。
　すなわち，本件特許明細書の【表１３−５】「
」の記載を，以下のとおりに訂正する。
【表１３−５】「
」
　
ｏ’．訂正事項ｏ’
　本件特許明細書の段落【０７１３】における
「実施例２８０
　Ｎ−［３−（（４ａＳ，５Ｓ，７ａＳ）−２−アミノ−５−ジフルオロメチル−４ａ，５−ジヒドロ−４Ｈ−フロ［３，４−ｄ］［１，３］チアジン−７ａ−イル）−４−フルオロフェニル］−５−シアノピリジン−２−カルボキサミドの合成」なる記載を，
「実施例２８０
　Ｎ−［３−（（４ａＳ，５Ｓ，７ａＳ）−２−アミノ−５−ジフルオロメチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミドの合成」に訂正する。
　
ｐ’．訂正事項ｐ’
　本件特許明細書の段落【０７１７】における
「（５）Ｎ−［３−（（４ａＳ，５Ｓ，７ａＳ）−２−アミノ−５−ジフルオロメチル−４ａ，５−ジヒドロ−４Ｈ−フロ［３，４−ｄ］［１，３］チアジン−７ａ−イル）−４−フルオロフェニル］−５−シアノピリジン−２−カルボキサミドの合成」なる記載を，
「（５）Ｎ−［３−（（４ａＳ，５Ｓ，７ａＳ）−２−アミノ−５−ジフルオロメチル−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミドの合成」に訂正する。
　
ｑ’．訂正事項ｑ’
　本件特許明細書の【表３２−１】中の実施例２８１及び２８２の化合物名における「４ａ，５−ジヒドロ」なる記載を，「４ａ，５，７，７ａ−テトラヒドロ」に訂正する。
　すなわち，本件特許明細書の【表３２−１】「
」の記載を，以下のとおりに訂正する。
【表３２−１】「
」
　
ｒ’．訂正事項ｒ’
　本件特許明細書の【表３２−２】中の実施例２８３及び２８４の化合物名における「４ａ，５−ジヒドロ」なる記載を，「４ａ，５，７，７ａ−テトラヒドロ」に訂正する。
　すなわち，本件特許明細書の【表３２−２】「
」の記載を，以下のとおりに訂正する。
【表３２−２】「
」　
ｓ’．訂正事項ｓ’
　本件特許明細書の段落【０７１９】における
「実施例２８５
　（±）−Ｎ−［５−（（４ａＳ＊，５Ｒ＊，７ａＲ＊）−２−アミノ−５−メチル−４ａ，５−ジヒドロ−４Ｈ−フロ［３，４−ｄ］［１，３］チアジン−７ａ−イル）チオフェン−３−イル］−５−シアノピリジン−２−カルボサミドの合成」なる記載を，
「実施例２８５
　（±）−Ｎ−［５−（（４ａＳ＊，５Ｒ＊，７ａＲ＊）−２−アミノ−５−メチル−４ａ，５，７，７ａ−テトラヒドロ−４Ｈ−フロ［３，４−ｄ］［１，３］チアジン−７ａ−イル）チオフェン−３−イル］−５−シアノピリジン−２−カルボサミドの合成」に訂正する。
　
ｔ’．訂正事項ｔ’
　本件特許明細書の段落【０７２３】における
「（５）（±）−Ｎ−［５−（（４ａＳ＊，５Ｒ＊，７ａＲ＊）−２−アミノ−５−メチル−４ａ，５−ジヒドロ−４Ｈ−フロ［３，４−ｄ］［１，３］チアジン−７ａ−イル）チオフェン−３−イル］−５−シアノピリジン−２−カルボサミドの合成」なる記載を，
「（５）（±）−Ｎ−［５−（（４ａＳ＊，５Ｒ＊，７ａＲ＊）−２−アミノ−５−メチル−４ａ，５，７，７ａ−テトラヒドロ−４Ｈ−フロ［３，４−ｄ］［１，３］チアジン−７ａ−イル）チオフェン−３−イル］−５−シアノピリジン−２−カルボサミドの合成」に訂正する。
　
　
第３　当審の判断
１　訂正の目的について
　請求人は，訂正事項ａ〜ｔ’のいずれにおいても，誤記の訂正を目的とするとしている。
　
（１）訂正事項ａについて
ア　本件特許の特許請求の範囲の請求項１０中の１０）〜１３），２１）の化合物名の訂正について
　本件特許の特許請求の範囲の請求項１０中の記載「１０）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−シアノピリジン−２−カルボキサミド」は，本件特許明細書の段落【０５４６】における，「実施例２４」としての合成目的化合物名の記載と一致し，上記化合物名は，訂正事項ｄによって訂正されるものであることから，この訂正事項ａにおける上記訂正は，「実施例２４」における合成目的化合物の名称の訂正に対応して，本件特許の特許請求の範囲の請求項１０の記載を訂正しようとするものと認められる。
　
　本件特許明細書の段落【０５４６】には，合成目的化合物として以下の【化１２４】の化学構造式が図示されている。
【化１２４】
　　　「
」
　また，その製法として，「実施例１４の方法に準じ、製造例１３−（２）で得た５−シアノピリジン−２−カルボン酸（２１．２ｍｇ）と製造例９−（１０）で得た化合物（３５ｍｇ）から標記化合物（３０ｍｇ）を得た。」と記載されている。
　
　これらの記載を検討する。
　上記【化１２４】で表される化合物の基本骨格は，下記構造式
　　　
すなわち「４Ｈ−フロ［３，４−ｄ］［１，３］チアジン」の縮合環の４ａ，５，７，７ａの位置に，４つの水素原子が，それぞれ１つずつ付加した下記構造式で表される
　　　
「４ａ，５，７，７ａ−テトラヒドロ−４Ｈ−フロ［３，４−ｄ］［１，３］チアジン」と命名されるものである。
　よって，この命名法にしたがえば，【化１２４】の構造式で示される物質は，「Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」と表記されるべきものである。
　
　一方，目的化合物の合成方法に関し，実施例２４は，実施例１４に準じるとしている。
　実施例１４は，本件特許明細書の段落【０５３５】に記載されるように，製造例５−（８）で得られた「（−）−［（４ａＲ＊，８ａＳ＊）−８ａ−（５−アミノ−２，３−ジフルオロフェニル）−４ａ，５，６，７，８，８ａ−ヘキサヒドロ−４Ｈ−ベンゾ［ｄ］［１，３］チアジン−２−イル］カルバミン酸ｔｅｒｔ−ブチルエステル」（以下【化２４】参照）
【化２４】抜粋「
　　　
」
のチアジン骨格の２位にある，カルバメート結合を切断してアミノ基にするとともに，チアジン骨格の８ａ位に置換されている，５−アミノ−２，３−ジフルオロフェニル基におけるアミノ基を「５−クロロピリジンカルボン酸」でアミド化して，【化１１４】で表される以下の化合物を合成するものである。
【化１１４】「
　　　
」
　そこで，この実施例１４の方法に準じて「製造例１３−（２）で得た５−シアノピリジン−２−カルボン酸」と，以下の構造式で示される「製造例９−（１０）で得た化合物」（本件特許明細書の段落【０２０５】【化２８】参照）から合成目的化合物を得る手順を検討する。
【化２８】抜粋「
　　　
」
　実施例１４にしたがえば，この「製造例９−（１０）で得た化合物」における，「４ａ，５，７，７ａ−テトラヒドロ−４Ｈ−フロ［３，４−ｄ］［１，３］チアジン基」の２位のカルバメート結合を切断してアミノ基にするとともに，チアジン骨格の７ａ位に置換されている，５−アミノ−２−フルオロフェニル基におけるアミノ基を「製造例１３−（２）で得た５−シアノピリジン−２−カルボン酸」でアミド化することによって，確かに【化１２４】の構造式で示される化合物が合成できるものと認められる。
　
　また，【化２８】で示される「製造例９−（１０）で得た化合物」の名称について，本件特許明細書の段落【０２０５】及び【０２１４】には，それぞれ「（−）−［（４ａＳ＊，７ａＳ＊）−７ａ−（５−アミノ−２−フルオロフェニル）−４ａ，５，７，７ａ−テトラヒドロ−４Ｈ−フロ［３，４−ｄ］［１，３］チアジン−２−イル］カルバミン酸ｔｅｒｔ−ブチルエステル」と記載されており，ここでは，４ａ，５，７，７ａ位の４か所の水素化に対応し，「４ａ，５，７，７ａ−テトラヒドロ」と記載され，示される構造式と，命名法に正しくしたがった名称が一致している。
　
　以上を総合すると，実施例１４に記載された合成方法に準じて，本件特許明細書の段落【０２０５】及び【０２１４】に「（−）−［（４ａＳ＊，７ａＳ＊）−７ａ−（５−アミノ−２−フルオロフェニル）−４ａ，５，７，７ａ−テトラヒドロ−４Ｈ−フロ［３，４−ｄ］［１，３］チアジン−２−イル］カルバミン酸ｔｅｒｔ−ブチルエステル」と記載される「製造例９−（１０）で得た化合物」に，５−シアノピリジン−２−カルボン酸を反応させることによって【化１２４】の構造式で表される化合物が合成できるものと認められる。
　また，その名称もその構造式から見て，命名法にしたがって「Ｎ−［３−（（４ａＳ＊，７ａＳ＊）−２−アミノ−４ａ，５，７，７ａ−テトラヒドロ−４Ｈ−フロ［３，４−ｄ］［１，３］チアジン−７ａ−イル）−４−フルオロフェニル］−５−シアノピリジン−２−カルボキサミド」と表記すべきものといえる。
　すると，本件特許の特許請求の範囲の請求項１０中の「１０）Ｎ−［３−（（４ａＳ＊，７ａＳ＊）−２−アミノ−４ａ，５−ジヒドロ−４Ｈ−フロ［３，４−ｄ］［１，３］チアジン−７ａ−イル）−４−フルオロフェニル］−５−シアノピリジン−２−カルボキサミド」の「４ａ，５−ジヒドロ」の部分は，「４ａ，５，７，７ａ−テトラヒドロ」と記載すべき誤記と認められる。
　そして，同様に，本件特許の特許請求の範囲の請求項１０中の１１）〜１３），２１）の化合物名の訂正についても，上記１０）同様，それぞれ実施例２５〜２７，３５としての合成目的化合物名の記載と一致し，その化合物名は訂正事項ｅ〜ｈによって訂正されるものであり，それぞれ，実施例２４と同一の製造例９−（１０）で得られたアニリン中間体に，実施例１４の方法に準じて，対応するカルボン酸を反応させて所期のアミド化合物を得るものであるから，本件特許の特許請求の範囲の請求項１０中の１１）〜１３），２１）の合成目的化合物名における「４ａ，５−ジヒドロ」の部分は，「４ａ，５，７，７ａ−テトラヒドロ」と記載すべき誤記と認められる。
　よって，本件特許の特許請求の範囲の請求項１０中の１０）〜１３），２１）に記載される化合物の名称中の「４ａ，５−ジヒドロ」の部分を，「４ａ，５，７，７ａ−テトラヒドロ」にする訂正は，誤記の訂正を目的とするものといえる。
　
イ　本件特許の特許請求の範囲の請求項１０中の２４）及び２５）の化合物名の訂正について
　本件特許の特許請求の範囲の請求項１０中の記載「２４）Ｎ−［３−（（４ａＳ＊，５Ｒ＊，７ａＳ＊）−２−アミノ−５−メチル−４ａ，５−ジヒドロ−４Ｈ−フロ［３，４−ｄ］［１，３］チアジン−７ａ−イル）−４−フルオロフェニル］−５−シアノピリジン−２−カルボキサミド」は，本件特許明細書の段落【０５７５】における，「実施例５４」としての合成目的化合物名の記載と一致し，上記化合物名は，訂正事項ｎによって訂正されるものであることから，この訂正事項ａにおける上記訂正は，「実施例５４」における合成目的化合物の名称の訂正に対応して，本件特許の特許請求の範囲の請求項１０の記載を訂正しようとするものと認められる。
　実施例５４は，実施例１４の方法に準じて，以下の構造式で示される「製造例２２−（１１）で得られた化合物」（本件特許明細書の段落【０２７９】【化４４】参照）
【化４４】抜粋「
　　　
」
に，「製造例１３−（２）で得た５−シアノピリジン−２−カルボン酸」を反応させて所期のアミド化合物を得るものである。
　上記アで述べた実施例２４同様，上記アニリン中間体である「製造例２２−（１１）で得られた化合物」に関し，その合成法が記載される本件特許明細書の段落【０２７９】及び【０２８９】には，「（−）−［（４ａＳ＊，５Ｒ＊，７ａＳ＊）−７ａ−（５−アミノ−２−フルオロフェニル）−５−メチル−４ａ，５，７，７ａ−テトラヒドロ−４Ｈ−フロ［３，４−ｄ］［１，３］チアジン−２−イル］カルバミン酸ｔｅｒｔ−ブチルエステル」と，その名称が命名法にしたがって正しく表記され，特に水素化部位に関し「４ａ，５，７，７ａ−テトラヒドロ」と記載されている。
　よって，その合成方法の記載からみて，実施例５４では，【化１４７】として示される構造式の化合物が合成されるとするのが妥当である。
【化１４７】「
　　　
」
　そこで，この【化１４７】で示される構造式の化合物を命名法にしたがって正しく表記すると，化合物の名称中の「４ａ，５−ジヒドロ」の部分は，「４ａ，５，７，７ａ−テトラヒドロ」と記載すべき誤記と認められる。
　そして，同様に，本件特許の特許請求の範囲の請求項１０中の２５）の化合物名の訂正についても，上記２４）同様，それぞれ実施例５８としての合成目的化合物名の記載と一致し，その化合物名は訂正事項ｒによって訂正されるものであり，それぞれ，実施例５８と同一の製造例２２−（１１）で得られたアニリン中間体に，実施例１４の方法に準じて，製造例１７−（５）で合成した「５−ジフルオロメチルピラジン−２−カルボン酸」を反応させて所期のアミド化合物を得るものであるから，本件特許の特許請求の範囲の請求項１０中の２５）の合成目的化合物名における「４ａ，５−ジヒドロ」の部分は，「４ａ，５，７，７ａ−テトラヒドロ」の誤記と認められる。 
　よって，本件特許の特許請求の範囲の請求項１０中の２４）及び２５）に記載される化合物の名称中の「４ａ，５−ジヒドロ」の部分を，「４ａ，５，７，７ａ−テトラヒドロ」にする訂正は，誤記の訂正を目的とするものといえる。 
　
ウ　本件特許の特許請求の範囲の請求項１０中の２７）の化合物名の訂正について
　本件特許の特許請求の範囲の請求項１０中の記載「２７）Ｎ−［３−（（４ａＳ＊，５Ｒ＊，７ａＳ＊）−２−アミノ−５−エチル−４ａ，５，７，７ａ−テトラヒドロ−４Ｈ−フロ［３，４−ｄ］［１，３］チアジン−７ａ−イル）−４−フルオロフェニル］−５−フルオロメトキシピラジン−２−カルボキサミド」は，本件特許明細書の段落【０５７３】における，「実施例５２」としての合成目的化合物名の記載と一致し，上記化合物名は，訂正事項ｌによって訂正されるものであることから，この訂正事項ａにおける上記訂正は，「実施例５２」における合成目的化合物の名称の訂正に対応して，本件特許の特許請求の範囲の請求項１０の記載を訂正しようとするものと認められる。
　実施例５２は，実施例１４の方法に準じて，以下の構造式で示される「製造例２１−（１０）で得られた化合物」（本件特許明細書の段落【０２６９】【化４３】参照）
【化４３】抜粋「
　　　
」
に，「製造例１５−（２）で得た５−フルオロメトキシピラジン−２−カルボン酸」を反応させて所期のアミド化合物を得るものである。
　上記アで述べた実施例２４同様，上記アニリン中間体である「製造例２１−（１０）で得られた化合物」に関し，その合成法が記載される本件特許明細書の段落【０２６９】〜【０２７８】には，「（−）−［（４ａＳ＊，５Ｒ＊，７ａＳ＊）−７ａ−（５−アミノ−２−フルオロフェニル）−５−エチル−４ａ，５，７，７ａ−テトラヒドロ−４Ｈ−フロ［３，４−ｄ］［１，３］チアジン−２−イル］カルバミン酸ｔｅｒｔ−ブチルエステル」と，その名称が命名法にしたがって正しく表記され，特に水素化部位に関し「４ａ，５，７，７ａ−テトラヒドロ」と記載されている。
　よって，その合成方法の記載からみて，実施例５２では，【化１４５】として示される以下の構造式の化合物が合成されるとするのが妥当である。
【化１４５】「
　　　
」
　そこで，【化１４５】の構造式で示される化合物を命名法にしたがって正しく表記すると，化合物の名称中の「４ａ，５−ジヒドロ」の部分は，「４ａ，５，７，７ａ−テトラヒドロ」と記載すべき誤記と認められる。
　よって，本件特許の特許請求の範囲の請求項１０中の２７）に記載される化合物の名称の「４ａ，５−ジヒドロ」の部分を，「４ａ，５，７，７ａ−テトラヒドロ」にする訂正は，誤記の訂正を目的とするものといえる。 
　
エ　本件特許の特許請求の範囲の請求項１０中の２８）及び２９）の化合物名の訂正について
　本件特許の特許請求の範囲の請求項１０中の記載「２８）Ｎ−［３−（（４ａＳ，５Ｓ，７ａＳ）−２−アミノ−５−フルオロメチル−４ａ，５−ジヒドロ−４Ｈ−フロ［３，４−ｄ］［１，３］チアジン−７ａ−イル）−４−フルオロフェニル］−５−ジフルオロメチルピラジン−２−カルボキサミド」は，本件特許明細書の段落【０５９４】における，「実施例７３」としての合成目的化合物名の記載と一致し，上記化合物名は，訂正事項ｄ’によって訂正されるものであることから，この訂正事項ａにおける上記訂正は，「実施例７３」に記載される合成目的化合物の名称の訂正に対応して，本件特許の特許請求の範囲の請求項１０の記載を訂正しようとするものと認められる。 
　実施例７３は，実施例１４の方法に準じて，以下の構造式で示される「製造例２５−（１３）で得られた化合物」（本件特許明細書の段落【０３１６】【化４７】参照） 
【化４７】抜粋「
　　　
」
に，「製造例１７−（５）で製造した５−ジフルオロメチルピラジン−２−カルボン酸」を反応させて所期のアミド化合物を得るものである。
　上記アで述べた実施例２４同様，上記アニリン中間体である「製造例２５−（１３）で得られた化合物」に関し，その合成法が記載される本件特許明細書の段落【０３１６】〜【０３２８】には，「［（４ａＳ，５Ｓ，７ａＳ）−７ａ−(５−アミノ−２−フルオロフェニル)−５−フルオロメチル−４ａ，５，７，７ａ−テトラヒドロ−４Ｈ−フロ［３，４−ｄ］［１，３］チアジン−２−イル］カルバミン酸ｔｅｒｔ−ブチルエステル」と，その名称が命名法にしたがって正しく表記され，特に水素化部位に関し「４ａ，５，７，７ａ−テトラヒドロ」と記載されている。
　よって，その合成方法の記載からみて，実施例７３では，【化１６６】として示される以下の構造式の化合物が合成されるとするのが妥当である。
【化１６６】「
　　　
」
　そこで，上記【化１６６】で示される構造式の化合物を命名法にしたがって正しく表記すると，化合物の名称中の「４ａ，５−ジヒドロ」の部分は，「４ａ，５，７，７ａ−テトラヒドロ」と記載すべき誤記と認められる。　
　そして，同様に，本件特許の特許請求の範囲の請求項１０中の２９）の化合物名の訂正についても，上記２８）同様，それぞれ実施例７５としての合成目的化合物名の記載と一致し，その化合物名は訂正事項ｆ’によって訂正されるものであり，実施例７３と同一の製造例２５−（１３）で得られたアニリン中間体に，実施例１４の方法に準じて，製造例１５−（２）で合成した「５−フルオロメトキシピラジン−２−カルボン酸」を反応させて所期のアミド化合物を得るものであるから，本件特許の特許請求の範囲の請求項１０中の２９）の合成目的化合物名における「４ａ，５−ジヒドロ」の部分は，「４ａ，５，７，７ａ−テトラヒドロ」の誤記と認められる。 
　よって，本件特許の特許請求の範囲の請求項１０中の２８）及び２９）に記載される化合物の名称中の「４ａ，５−ジヒドロ」の部分を，「４ａ，５，７，７ａ−テトラヒドロ」にする訂正は，誤記の訂正を目的とするものといえる。  
　
オ　本件特許の特許請求の範囲の請求項１０中の３０）の化合物名の訂正について
　本件特許の特許請求の範囲の請求項１０中の記載「３０）Ｎ−［３−（（４ａＳ＊，５Ｓ＊，７ａＳ＊）−２−アミノ−５−フルオロメチル−４ａ，５−ジヒドロ−４Ｈ−フロ［３，４−ｄ］［１，３］チアジン−７ａ−イル）−４−フルオロフェニル］−５−シアノピリジン−２−カルボキサミド」は，本件特許明細書の段落【０６５７】における，「実施例１６４」としての合成目的化合物名の記載と一致し，上記化合物名は，訂正事項ｊ’によって訂正されるものであることから，この訂正事項ａにおける上記訂正は，「実施例１６４」における合成目的化合物の名称の訂正に対応して，本件特許の特許請求の範囲の請求項１０の記載を訂正しようとするものと認められる。 
　本件特許明細書の段落【０６５６】には，「以下、対応するカルボン酸と製造例中の対応するアニリン中間体を用いて、実施例１４に準じて、以下の実施例１６４から１６７の化合物を合成した。」と記載されていることから，実施例１６４は，実施例１４の方法に準じて，以下の構造式で示される【化２０９】で表される構造式の化合物を合成するものである。
【化２０９】「
　　　
」
　実施例１６４には，対応するカルボン酸と製造例中の対応するアニリン中間体の物質名それぞれの記載が無いが，「実施例１４の方法に準じ」ると，カルボン酸は，製造例１３−（２）で得られる「５−シアノピリジン−２−カルボン酸」，そして本件特許明細書中の各製造例中で対応するアニリン中間体は「製造例２５−（１３）で得られた化合物」（【化４７】参照）である「［（４ａＳ，５Ｓ，７ａＳ）−７ａ−(５−アミノ−２−フルオロフェニル)−５−フルオロメチル−４ａ，５，７，７ａ−テトラヒドロ−４Ｈ−フロ［３，４−ｄ］［１，３］チアジン−２−イル］カルバミン酸ｔｅｒｔ−ブチルエステル」と認められ，これらのカルボン酸とアニリン中間体によって，上記【化２０９】の構造式で示されるとおりの化合物が合成できるとするのが妥当である。
　そこで，この【化２０９】で示される構造式の化合物を命名法にしたがって正しく表記すると，化合物の名称中の「４ａ，５−ジヒドロ」なる記載は誤記であって，「４ａ，５，７，７ａ−テトラヒドロ」と表記すべきものである。
　よって，本件特許の特許請求の範囲の請求項１０中の３０）に記載される，化合物の名称中の「４ａ，５−ジヒドロ」の部分を，「４ａ，５，７，７ａ−テトラヒドロ」にする訂正は，誤記の訂正を目的とするものといえる。  
　 
（２）訂正事項ｂについて
　本件特許明細書の段落【０００４】における記載は，本件特許の特許請求の範囲の請求項の記載と一致し，訂正事項ｂによる訂正後の本件特許明細書の段落【０００４】［１０］に，１０）〜１３），２１），２４），２５）及び２７）〜３０）として記載される化合物は，それぞれ，訂正事項ａによる訂正後の本件特許の特許請求の範囲の請求項１０に，１０）〜１３），２１），２４），２５）及び２７）〜３０）として記載される化合物と一致するから，上記（１）で訂正事項ａについて述べたのと同様，訂正事項ｂに係る訂正は，各化合物の名称中の「４ａ，５−ジヒドロ」なる誤記を「４ａ，５，７，７ａ−テトラヒドロ」にする，誤記の訂正を目的とするものといえる。
　
（３）訂正事項ｃについて
　本件特許明細書の段落【００４１】における記載は，本件特許の特許請求の範囲の請求項１０の記載と一致し，訂正事項ｃによる訂正後の本件特許明細書の段落【００４１】に，１０）〜１３），２１），２４），２５）及び２７）〜３０）として記載される化合物は，それぞれ，訂正事項ａによる訂正後の本件特許の特許請求の範囲の請求項１０に，１０）〜１３），２１），２４），２５）及び２７）〜３０）として記載される化合物と一致するから，上記（１）で訂正事項ａについて述べたのと同様，訂正事項ｃに係る訂正は，各化合物の名称中の「４ａ，５−ジヒドロ」なる誤記を「４ａ，５，７，７ａ−テトラヒドロ」にする，誤記の訂正を目的とするものといえる。
　
（４）訂正事項ｄ〜ｈについて
　訂正事項ｄ〜ｈは，それぞれ，実施例２４〜２７及び３５（本件特許明細書の段落【０５４６】〜【０５４９】及び【０５５９】参照）に対応した訂正であるから，上記（１）アで，訂正事項ａにおける，実施例２４〜２７及び３５に係る訂正について述べたとおり，訂正事項ｄ〜ｈに係る訂正は，各実施例における合成目的化合物の名称中の「４ａ，５−ジヒドロ」なる誤記を「４ａ，５，７，７ａ−テトラヒドロ」にする，誤記の訂正を目的とするものといえる。
　
（５）訂正事項ｉ〜ｍについて
　訂正事項ｉ〜ｍは，それぞれ，実施例４９〜５３（本件特許明細書の段落【０５７０】〜【０５７４】参照）に対応した訂正であり，実施例４９〜５３は，実施例１４の方法に準じて，共通するアニリン中間体として「製造例２１−（１０）で得られた化合物」を用い，それぞれ対応するカルボン酸と反応させることによって合成目的化合物を得るものである。
　すると，訂正事項ｉ〜ｍに係る訂正は，上記（１）ウにおいて，アニリン中間体として「製造例２１−（１０）で得られた化合物」を用いる実施例５２に関して述べた訂正事項と同様であるから，実施例４９〜５３として記載される構造式で示される化合物を命名法にしたがって正しく表記すると，それぞれの化合物の名称中の「４ａ，５−ジヒドロ」なる記載は誤記であって，「４ａ，５，７，７ａ−テトラヒドロ」と表記すべきものである。
　よって，訂正事項ｉ〜ｍは，各実施例における合成目的化合物の「４ａ，５−ジヒドロ」なる誤記を「４ａ，５，７，７ａ−テトラヒドロ」にする，誤記の訂正を目的とするものといえる。
　
（６）訂正事項ｎ〜ｖについて
　訂正事項ｎ〜ｖは，それぞれ，実施例５４〜６２（本件特許明細書の段落【０５７５】〜【０５８３】参照）に対応した訂正であり，実施例５４〜６２は，実施例１４の方法に準じて，共通するアニリン中間体として「製造例２２−（１１）で得られた化合物」を用い，それぞれ対応するカルボン酸と反応させることによって合成目的化合物を得るものである。
　すると，訂正事項ｎ〜ｖに係る訂正は，上記（１）イにおいて，アニリン中間体として「製造例２２−（１１）で得られた化合物」を用いる実施例５４及び５８に関して述べた訂正事項と同様であるから，実施例５４〜６２として記載される構造式で示される化合物を命名法にしたがって正しく表記すると，それぞれの化合物の名称中の「４ａ，５−ジヒドロ」なる記載は誤記であって，「４ａ，５，７，７ａ−テトラヒドロ」と表記すべきものである。
 よって，訂正事項ｎ〜ｖは，各実施例における合成目的化合物の「４ａ，５−ジヒドロ」なる誤記を「４ａ，５，７，７ａ−テトラヒドロ」にする，誤記の訂正を目的とするものといえる。
　
（７）訂正事項ｗ〜ｚについて
　訂正事項ｗ〜ｚは，それぞれ，実施例６６〜６９（本件特許明細書の段落【０５８７】〜【０５９０】参照）に対応した訂正であり，実施例６６〜６９は，実施例１４の方法に準じて，以下の構造式で示されるアニリン中間体である「製造例２４−（１１）で得られた化合物」（本件特許明細書の段落【０３０５】【化４６】参照）
【化４６】抜粋「
　　　
」
と，それぞれ対応するカルボン酸と反応させることによって合成目的化合物を得るものである。
　そこで，本件特許明細書の段落【０３０５】〜【０３１６】に記載される製造例２４をみると，いずれもチアジン骨格の水素化部分に関し，「４ａ，５，７，７ａ−テトラヒドロ」と，それぞれの工程における化学物質の構造式を命名法にしたがって正しく表記しており，「製造例２４−（１１）で得られた化合物」を用いてカルボン酸と反応させることによって，確かに実施例６６〜６９において構造式で示される合成されるとするのが妥当である。
　そこで，実施例６６〜６９において構造式で示される【化１５９】〜【化１６２】の構造式で示される化合物を命名法にしたがって正しく表記すると，それぞれの化合物の名称中の「４ａ，５−ジヒドロ」なる記載は誤記であり，「４ａ，５，７，７ａ−テトラヒドロ」にすべきものである。
　よって，訂正事項ｗ〜ｚは，実施例６６〜６９における合成目的化合物の「４ａ，５−ジヒドロ」なる誤記を「４ａ，５，７，７ａ−テトラヒドロ」にする，誤記の訂正を目的とするものといえる。
　
（８）訂正事項ａ’〜ｉ’について
　訂正事項ａ’〜ｉ’は，それぞれ，実施例７０〜７８（本件特許明細書の段落【０５９１】〜【０５９９】参照）に対応した訂正であり，実施例７０〜７８は，実施例１４の方法に準じて，「製造例２５−（１３）で得られた化合物」と，それぞれの実施例に記載されるカルボン酸とを反応させることによって合成目的化合物を得るものであって，アニリン中間体として同じく「製造例２５−（１３）で得られた化合物」を用いた目的化合物の合成に係る上記（１）エで，実施例７３及び７５について述べたのと同様である。
　すると，実施例７０〜７８として記載される構造式で示される化合物を命名法にしたがって正しく表記すると，それぞれの化合物の名称中の「４ａ，５−ジヒドロ」なる記載は誤記であって，「４ａ，５，７，７ａ−テトラヒドロ」と表記すべきものである。
　よって，訂正事項ａ’〜ｉ’は，実施例７０〜７８における合成目的化合物の「４ａ，５−ジヒドロ」なる誤記を「４ａ，５，７，７ａ−テトラヒドロ」にする，誤記の訂正を目的とするものといえる。
　
（９）訂正事項ｊ’について
　訂正事項ｊ’は，実施例１６４（本件特許明細書の段落【０６５７】参照）に対応した訂正であり，上記（１）オにおいて実施例１６４について述べたとおり，実施例１６４における合成目的化合物の名称中の「４ａ，５−ジヒドロ」なる記載は誤記であって，「４ａ，５，７，７ａ−テトラヒドロ」と表記すべきものである。
　よって，訂正事項ｊ’は，実施例１６４における合成目的化合物の「４ａ，５−ジヒドロ」なる誤記を「４ａ，５，７，７ａ−テトラヒドロ」にする，誤記の訂正を目的とするものといえる。
　
（１０）訂正事項ｋ’〜ｍ’について
　訂正事項ｋ’〜ｍ’は，それぞれ，実施例１６５〜１６７（本件特許明細書の段落【０６５８】〜【０６６０】参照）に対応した訂正であり，実施例１６５〜１６７は，本件特許明細書の段落【０６５６】に，「以下、対応するカルボン酸と製造例中の対応するアニリン中間体を用いて、実施例１４に準じて、以下の実施例１６４から１６７の化合物を合成した。」と記載されていることから，それぞれ実施例１４の方法に準じて，【化２１０】〜【化２１２】で表される化合物を合成するものである。
　実施例１６５〜１６７には，対応するカルボン酸と製造例中の対応するアニリン中間体の物質名それぞれの記載が無いが，「実施例１４の方法に準じ」ると，本件特許明細書中の各製造例中で対応するアニリン中間体は「製造例９−（１０）で得られた化合物」（【化２８】参照）の「（−）−［（４ａＳ＊，７ａＳ＊）−７ａ−（５−アミノ−２−フルオロフェニル）−４ａ，５，７，７ａ−テトラヒドロ−４Ｈ−フロ［３，４−ｄ］［１，３］チアジン−２−イル］カルバミン酸ｔｅｒｔ−ブチルエステル」から合成できるものと認められ，カルボン酸は，実施例１６５は，「５−トリフルオロメチルピリジン−２−カルボン酸」，実施例１６６は，「５−ブロモピリジン−２−カルボン酸」，実施例１６７は，製造例４９−（２）で得られる「５−ジフルオロメトキシピリジン−２−カルボン酸」と認められ，これらのカルボン酸とアニリン中間体によって，本件特許明細書中に【化２１０】〜【化２１２】の構造式で示されるとおりの化合物が合成できるとするのが妥当である。
　そこで，【化２１０】〜【化２１２】の構造式で示される化合物を命名法にしたがって正しく表記すると，それぞれの化合物の名称中の「４ａ，５−ジヒドロ」なる記載は誤記であって，「４ａ，５，７，７ａ−テトラヒドロ」と表記すべきものである。
　よって，訂正事項ｋ’〜ｍ’は，実施例１６４における合成目的化合物の「４ａ，５−ジヒドロ」なる誤記を「４ａ，５，７，７ａ−テトラヒドロ」にする，誤記の訂正を目的とするものといえる。
　
（１１）訂正事項ｎ’について
　訂正事項ｎ’は，実施例１８８〜１９０（本件特許明細書の【表１３−５】参照）に対応した訂正であり，実施例１８８〜１９０は，本件特許明細書の段落【０６６１】に「実施例１６８−１９１　対応するカルボン酸と製造例中の対応するアニリン中間体を用いて、実施例１４に準じて、以下の表１３に示すように実施例１６８から１９１の化合物を合成した。」と記載されていることから，それぞれ実施例１４の方法に準じて，実施例１８８〜１９０として構造式で表される化合物を合成するものである。
　実施例１８８〜１９０には，それぞれ対応するカルボン酸と製造例中の対応するアニリン中間体の物質名の記載が無いが「実施例１４の方法に準じ」ると，本件特許明細書中の各製造例中で対応するアニリン中間体は「製造例９−（１０）で得られた化合物」（【化２８】参照）である「（−）−［（４ａＳ＊，７ａＳ＊）−７ａ−（５−アミノ−２−フルオロフェニル）−４ａ，５，７，７ａ−テトラヒドロ−４Ｈ−フロ［３，４−ｄ］［１，３］チアジン−２−イル］カルバミン酸ｔｅｒｔ−ブチルエステル」であると認められ，カルボン酸は，実施例１８８は，「３，５−ジフルオロピリジン−２−カルボン酸」，実施例１８９は，「３，５−ジクロロピリジン−２−カルボン酸」，実施例１９０は，製造例４９−（２）で得られる「５−ジフルオロメチルピリジン−２−カルボン酸」と認められ，これらのカルボン酸とアニリン中間体によって，実施例１８８〜１９０（本件特許明細書の【表１３−５】参照）の構造式で示されるとおりの化合物が合成できるとするのが妥当である。
　そこで，実施例１８８〜１９０として記載される構造式で示される化合物を命名法にしたがって正しく表記すると，それぞれの化合物の名称中の「４ａ，５−ジヒドロ」なる記載は誤記であって，「４ａ，５，７，７ａ−テトラヒドロ」と表記すべきものである。
　よって，訂正事項ｎ’は，実施例１８８〜１９０における合成目的化合物の「４ａ，５−ジヒドロ」なる誤記を「４ａ，５，７，７ａ−テトラヒドロ」にする，誤記の訂正を目的とするものといえる。
　
（１２）訂正事項ｏ’〜ｐ’について
　訂正事項ｏ’〜ｐ’は，それぞれ，実施例２８０（本件特許明細書の段落【０７１３】〜【０７１７】参照）に対応した訂正であり，実施例２８０として，以下の【化２４４】に，その合成工程が順に示されている。
【化２４４】「
」
　実施例２８０において，各合成工程で合成される中間体に関し，合成工程の（２）〜（４）の記載において（本件特許明細書の段落【０７１４】〜【０７１６】参照），それぞれ合成される中間体は，チアジンの基本骨格部分についていずれも，「４ａ，５，７，７ａ−テトラヒドロ−４Ｈ−フロ［３，４−ｄ］［１，３］チアジン」と表記されており，【化２４４】に記載されるそれぞれの構造式を命名法にしたがって正しく表記したものと一致する。すると，（５）の工程を経た合成目的化合物として，【化２４４】に示される構造式のとおりの化合物が合成できるとするのが妥当である。
　そこで，この合成目的化合物を，命名法にしたがって正しく表記すると，その名称中のチアジン骨格の水素化部分を「４ａ，５−ジヒドロ」とする記載は誤記であって，「４ａ，５，７，７ａ−テトラヒドロ」に表記すべきものである。
　よって，訂正事項ｏ’〜ｐ’は，実施例２８０における合成目的化合物の名称中の「４ａ，５−ジヒドロ」なる誤記を「４ａ，５，７，７ａ−テトラヒドロ」にする，誤記の訂正を目的とするものといえる。
　
（１３）訂正事項ｑ及びｒ’について
  訂正事項ｑ’及びｒ’は，それぞれ，実施例２８１〜２８４（本件特許明細書の段落【０７１８】の【表３２−１】及び【表３２−２】参照）に対応した訂正である。
　実施例２８１〜２８４における合成目的化合物は，「実施例２８０に準じて、対応するカルボン酸を用いて以下の表３２に示す実施例２８１から２８４の化合物を合成した」（本件特許明細書の段落【０７１８】参照）ものである。
　すると，実施例２８０の（４）までの工程で合成されるアニリン中間体として，本件特許明細書の段落【０７１６】に「（４）［（４ａＳ，５Ｓ，７ａＳ）−７ａ−（５−アミノ−２−フルオロフェニル）−５−ジフルオロメチル−４ａ，５，７，７ａ−テトラヒドロ−４Ｈ−フロ［３，４−ｄ］［１，３］チアジン−２−イル］カルバミン酸ｔｅｒｔ−ブチルエステル」と記載される物質と，それぞれの実施例において対応するカルボン酸によって，実施例２８１〜２８４（【表３２−１】及び【表３２−２】参照）の構造式で示されるとおりの化合物が合成できるとするのが妥当である。
　そこで，実施例２８１〜２８４として記載される構造式で示される化合物を命名法にしたがって正しく表記すると，それぞれの化合物の名称中の「４ａ，５−ジヒドロ」なる記載は誤記であって，「４ａ，５，７，７ａ−テトラヒドロ」と記載すべきものである。
　よって，訂正事項ｑ及びｒ’は，実施例２８１〜２８４における合成目的化合物の「４ａ，５−ジヒドロ」なる誤記を「４ａ，５，７，７ａ−テトラヒドロ」にする，誤記の訂正を目的とするものといえる。
　
（１４）訂正事項ｓ’及びｔ’について
　訂正事項ｓ’及びｔ’は，実施例２８５（本件特許明細書の段落【０７１９】〜【０７２３】参照）に対応した訂正であり，実施例２８５として，以下の【化２４５】に，その合成工程が順に示されている。
【化２４５】「　
」
　実施例２８５の，各合成工程の（２）〜（４）の記載において（本件特許明細書の段落【０７２０】〜【０７２２】参照），それぞれ合成される中間体は，チアジン骨格の水素化部分についていずれも，「４ａ，５，７，７ａ−テトラヒドロ」と表記されており，【化２４５】に記載される，それぞれの構造式を命名法にしたがって正しく表記したものと一致する。
　すると，実施例２８５の（５）の工程を経た合成目的化合物として，【化２４５】に示される構造式のとおりの化合物が合成されるとするのが妥当である。
　そこで，この合成目的化合物を，命名法にしたがって正しく表記すると，それぞれの化合物の名称中の「４ａ，５−ジヒドロ」なる記載は誤記であって，「４ａ，５，７，７ａ−テトラヒドロ」と記載すべきものである。
　よって，訂正事項ｓ’〜ｔ’は，実施例２８５における合成目的化合物の「４ａ，５−ジヒドロ」なる誤記を「４ａ，５，７，７ａ−テトラヒドロ」にする，誤記の訂正を目的とするものといえる。
　
（１５）小括
　よって，上記（１）〜（１４）のとおり，本件審判の請求に係る訂正事項ａ〜ｔ’は，いずれも誤記の訂正を目的とするものといえるから，特許法第１２６条第１項ただし書第２号に掲げる事項を目的とするものに該当する。
　
２　新規事項の追加の有無について
　本件特許に係る出願（特願２００９−５５００５０号）は，特許法第１８４条の６第１項の国際特許出願である国際出願ＰＣＴ／ＪＰ２００９／０５０５１１（国際公開第２００９／０９１０１６号参照）が，同法第１８４条の３第１項の規定により特許出願とみなされたものである。
　したがって，同法第１２６条第５項の適用に際しての「願書に最初に添付した明細書、特許請求の範囲又は図面」は，同法第１８４条の６第２項の規定により「国際出願日における本件国際特許出願の明細書，請求の範囲又は図面」である。
　そして，上記１（１）〜（１５）のとおり，本件審判の請求に係る訂正事項ａ〜ｔ’は，それぞれの化合物におけるチアジン骨格の水素化部分の名称を命名法にしたがい「４ａ，５，７，７ａ−テトラヒドロ」と表記すべきところを，「４ａ，５−ジヒドロ」と誤記がなされていたものを訂正するものであり，訂正に係る各化合物の分子構造が選択的な部分を持たない，単一の化合物の表記を正しく訂正するものであるから，本件特許の願書に最初に添付した明細書，特許請求の範囲又は図面に記載した事項の範囲内においてしたものといえ，同法第１２６条第５項の規定に適合する。
　
３　特許請求の範囲の実質上の拡張・変更の存否について
　上記１（１）〜（１５）のとおり，本件審判の請求に係る訂正事項ａ〜ｔ’は，それぞれの化合物におけるチアジン骨格の水素化部分の名称を命名法にしたがい「４ａ，５，７，７ａ−テトラヒドロ」と書くべきところを，「４ａ，５−ジヒドロ」と誤記がなされていたものを訂正するものであり，訂正に係る各化合物の分子構造が選択的な部分を持たない，単一の化合物の表記を正しく訂正するものであるから，実質上特許請求の範囲を拡張し，又は変更するものでないから，本件審判の請求に係る訂正事項ａ〜ｔ’は，特許法第１２６条第６項の規定に適合する。
　
４　訂正後の発明の独立特許要件について
　上記１（１）〜（１５）のとおり，本件審判の請求に係る訂正事項ａ〜ｔ’は，「誤記又は誤訳の訂正」を目的とするものであるから，本件訂正後における特許請求の範囲の請求項１０に記載された発明が独立して特許を受けることができるものかどうかについて検討する。
　すると，本件特許に係る出願は，拒絶理由を発見しないとして特許査定されたものであるところ，本件訂正後における特許請求の範囲の請求項１０に記載された発明が特許出願の際独立して特許を受けることができるものでないとする新たな理由も見当たらない。 
　したがって，本件審判の請求に係る訂正事項ａ〜ｔ’は，特許法第１２６条第７項の規定に適合する。
　
第４　むすび
　以上のとおりであるから，本件審判の請求に係る訂正事項ａ〜ｔ’は，特
許法第１２６条第１項ただし書第２号に掲げる事項を目的とするものであり，かつ同条第５項〜第７項の規定に適合するものである。
　
　よって，結論のとおり審決する。